(57)【要約】【課題】本発明の目的は、冷却性能の向上を図れる電子機器を簡易に得ることにある。【解決手段】電子機器１は、上壁４ａおよび底壁４ｂを有する筐体４と、筐体４の上壁４ａおよび底壁４ｂの少なくとも一方との間に間隙ｇをあけて筐体４に収容されるディスクドライブ２１と、筐体４とディスクドライブ２１との間に設けられ、間隙ｇを保つ支持部２５とを具備する。キーボード１１のたわみを支持部２５により防止しつつ、筐体４とディスクドライブ２１との間に吸気スペースを確保することで、冷却性能の向上を簡易に図ることができる。【選択図】      図３
2007004895.tif 000002
【特許請求の範囲】
【請求項１】
上壁および底壁を有する筐体と、
上記筐体の上壁および底壁の少なくとも一方との間に間隙をあけて上記筐体に収容されるディスクドライブと、
上記筐体と上記ディスクドライブとの間に設けられ、上記間隙を保つ支持部と、
を具備することを特徴とする電子機器。
【請求項２】
上壁および底壁を有する筐体と、
上記上壁に支持され、上記筐体内に露出する下面を有するキーボードと、
上記キーボードの下面および上記筐体の底壁の少なくとも一方との間に間隙をあけて上記筐体に収容されるディスクドライブと、
上記キーボードと上記ディスクドライブとの間、または上記筐体と上記ディスクドライブとの間に設けられ、上記間隙を保つ支持部と、
を具備することを特徴とする電子機器。
【請求項３】
請求項１または２の記載において、
上記支持部は、上記ディスクドライブと一体に成形されることを特徴とする電子機器。
【請求項４】
請求項１または２の記載において、
上記支持部は、上記ディスクドライブと別体に成形されることを特徴とする電子機器。
【請求項５】
請求項１または２の記載において、
上記支持部は、上記間隙に配置される複数の凸部を有し、これらの凸部は互いに間隔を存して隣り合うとともに線状に延びていることを特徴とする電子機器。
【請求項６】
請求項５の記載において、
上記筐体は、ファンを収容し、
上記凸部の長手方向は、上記ファンを向いていることを特徴とする電子機器。
【請求項７】
請求項２の記載において、
上記キーボードは、その下面にシールド板を有し、上記ディスクドライブは、ドライブケースを有し、上記シールド板、上記ドライブケース、および上記支持部は、金属製であることを特徴とする電子機器。
【発明の詳細な説明】
【技術分野】
【０００１】
本発明は、筐体の内部にディスクドライブを収容した電子機器に係り、特にディスクドライブの冷却構造に関する。
【背景技術】
【０００２】
ポータブルコンピュータのような電子機器は、筐体の内部に例えばＣＤ（Compact Disk）ドライブあるいはＤＶＤ（Digital Versatile Disc）ドライブのようなディスクドライブを収容している。このディスクドライブは、筐体の底壁と筐体の上壁との間、または筐体の底壁と筐体の上壁に支持されるキーボードとの間に配置される。従来のディスクドライブは、ドライブケースと、このドライブケースに引き出し可能に収容されたディスクトレイとを備えている。このディスクドライブが発する熱は、ドライブケースから自然に放出されるようになっている。
【０００３】
近年、この種のディスクドライブは、より高速で情報処理が可能になるとともに、その発熱量が増加する傾向にある。そこで、冷却部材を備えたディスクドライブが提案されている（例えば、特許文献１参照）。特許文献１に記載の外付けディスクドライブは、ドライブユニットと、このドライブユニットを収容するケース本体とを有する。ドライブユニットの発熱部位に対向するケース本体の内外側面に沿ってパイプが配管され、このパイプ内に冷却用液体が循環される。さらにケース本体の外側面に、放熱用フィンが設けられている。
【特許文献１】特開２００４−３５５６８６号公報
【発明の開示】
【発明が解決しようとする課題】
【０００４】
特許文献１に記載のディスクドライブのように、例えば液冷式の冷却システムを装備した場合、ディスクドライブ自体が大型化するとともに、コストアップにつながる。例えばフィンのような冷却部材を設けるにしても、ディスクドライブの大型化、コストアップは避けられない。  
一方、例えばポータブルコンピュータに内蔵されるディスクドライブの場合、少しでも小型、軽量にすることが望まれている。
【０００５】
そこで本発明の目的は、冷却性能の向上を図れる電子機器を簡易に得ることにある。
【課題を解決するための手段】
【０００６】
本発明の一つの形態に係る電子機器は、
上壁および底壁を有する筐体と、上記筐体の上壁および底壁の少なくとも一方との間に間隙をあけて上記筐体に収容されるディスクドライブと、上記筐体と上記ディスクドライブとの間に設けられ上記間隙を保つ支持部とを具備する。
【発明の効果】
【０００７】
この構成によれば、間隙を通気スペースとして利用することで、ディスクドライブを効率よく冷却でき、冷却性能の向上を図れる電子機器を簡易に得ることができる。
【発明を実施するための最良の形態】
【０００８】
以下に本発明の実施の形態を、ポータブルコンピュータに適用した図面にもとづいて説明する。  
図１ないし図７は、本発明の第１の実施形態に係る電子機器としてのポータブルコンピュータ１を開示している。図１に示すように、ポータブルコンピュータ１は、本体２と表示ユニット３とを備えている。
【０００９】
本体２は、箱状の筐体４を備えている。筐体４は、上壁４ａ、底壁４ｂ、前壁４ｃ、後壁４ｄ、右側壁４ｅ、および左側壁４ｆを有している。  
表示ユニット３は、ディスプレイハウジング５と、このディスプレイハウジング５に収容された液晶表示パネル６とを備えている。液晶表示パネル６は、表示画面６ａを有している。表示画面６ａは、ディスプレイハウジング５の前面の開口部５ａを通じてディスプレイハウジング５の外部に露出している。
【００１０】
表示ユニット３は、筐体４の後端部に図示しないヒンジ装置を介して支持されている。そのため、表示ユニット３は、上壁４ａを上方から覆うように倒される閉じ位置と、上壁４ａ、および表示画面６ａを露出させるように起立する開き位置との間で回動可能である。
【００１１】
本体２の上壁４ａは、キーボード１１が取付けられるキーボード取付部１２を有する。キーボード取付部１２は、筐体４内に開口する開口部１２ａと、開口部１２ａから内側に向かって突出する図示しない一対のキーボード支持部材を有する。キーボード１１は、このキーボード支持部材の上に載置されることで、上壁４ａに支持される。
【００１２】
図３に示すように、キーボード１１は、キーボード基板１５、複数のキー１６、およびシールド板１７を有する。複数のキー１６は、キーボード基板１５の上面に並べて配置されている。シールド板１７は、キーボード基板１５を下方から覆うとともに、キーボード１１の下面を形成している。シールド板１７は、キーボード取付部１２の開口部１２ａを通じて、筐体４内に露出している。シールド板１７は、金属材料で形成されている。
【００１３】
図１に示すように、筐体４内の右側部位には、ディスクドライブとしてのＣＤ−Ｒ／ＲＷドライブ２１（以下、ＣＤドライブ２１）が収納されている。ＣＤドライブ２１は、ドライブケース２２とディスクトレイ２３とを有する。ドライブケース２２は、例えばアルミニウムのような金属材料で形成されている。ディスクトレイ２３は、ドライブケース２２内に進退自在に収納されている。
【００１４】
ディスクトレイ２３は、ドライブケース２２の挿入口（図示せず）を開閉する蓋２３ａを有している。ＣＤドライブ２１は、筐体４の底壁４ｂに沿って配置されており、そのドライブケース２２の蓋２３ａが筐体４の右側壁４ｅから筐体４の外に露出している。
【００１５】
図２に示すように、ＣＤドライブ２１の上面には、支持部２５が設けられている。支持部２５は、例えば５本のリブ状の凸部２５ａを有している。凸部２５ａは、ディスクトレイ２３の進退方向、すなわち、筐体４の幅方向に沿って直線状に延びているとともに、互いに間隙を存して平行に配置されている。凸部２５ａは、例えばドライブケース２２に板金プレス加工を施すことにより、このドライブケース２２に一体に成形されている。
【００１６】
図３に示すように、ＣＤドライブ２１は、キーボード１１の下面との間に、通気スペースとなる間隙ｇをあけて取付けられている。支持部２５の凸部２５ａは、ＣＤドライブ２１の上面とキーボード１１の下面との間の間隙ｇとほぼ同じ高さを有し、その上端がキーボード１１のシールド板１７に接している。  
図４に示すように、筐体４の右側壁４ｅに複数の吸気孔２６が形成されている。吸気孔２６は、ＣＤドライブ２１の蓋２３ａの上に位置するとともに、筐体４の内部に開口している。
【００１７】
図５に示すように、ポータブルコンピュータ１の筐体４は、ファン２８を収容している。ファン２８は、例えばＣＰＵを冷却するためのものであり、筐体４内の空気を吸込んで筐体４の外に排出する。ファン２８は、筐体４の左側壁４ｆに沿って設けられ、上記ＣＤドライブ２１に対し筐体４の幅方向に沿う反対側に位置している。したがって、支持部２５の凸部２５ａの長手方向は、ファン２８を向くことになる。なおここで、「長手方向がファン２８を向く」とは、長手方向の延長線上にファン２８が位置する場合のみならず、長手方向の延長線と、凸部２５ａとファン２８とを結ぶ直線とが鋭角を形成する関係をも含む。
【００１８】
次に、ポータブルコンピュータ１の作用について説明する。  
図３に示すように、ＣＤドライブ２１とキーボード１１の下面との間には、通気スペースとなる間隙ｇが形成されている。図５に示すように、ファン２８が駆動されることにより、吸気孔２６から外部の温度の低い空気が筐体４内に流入し、ＣＤドライブ２１の上面を通過する。このとき、ＣＤドライブ２１の発熱による熱の一部が空気に奪われる。この熱を持った空気は、ファン２８により筐体４の外部に排気される。
【００１９】
通常、キーボード１１の下に空間が存在すると、ポータブルコンピュータ１の操作者がキーボード１１を打つ際に、その押圧によりキーボード１１全体がたわんでしまう。しかし、本実施形態では、ＣＤドライブ２１の上面に間隙ｇを保つ支持部２５が設けられている。すなわち、図３に示すように、ＣＤドライブ２１の上面に位置する支持部２５が、キーボード１１を下方から支持し、キーボード１１のたわみが防止される。
【００２０】
このような構成のポータブルコンピュータ１によれば、ＣＤドライブ２１とキーボード１１の下面との間に吸気スペースが形成されることになる。この吸気スペースに空気が流れることで、ＣＤドライブ２１の冷却性能の向上を図ることができる。
【００２１】
特に本実施形態によれば、支持部２５を設けることで、キーボード１１のたわみを防止しつつ、筐体４内に吸気スペースを確保し、ＣＤドライブ２１の冷却性能の向上を図ることができる。この支持部２５は、リブ形状の凸部２５ａで構成されるために、液冷式の冷却部材や、フィンのような放熱部材を設ける場合に比べて低コストで製造が可能である。したがって、ＣＤドライブ２１を効率よく冷却できるポータブルコンピュータ１を簡易に得ることができる。さらに、上記冷却部材やフィンを採用する場合に比べて、ポータブルコンピュータ１の小型化を図ることもできる。
【００２２】
支持部２５がＣＤドライブ２１のドライブケース２２と一体に成形されることで、冷却性能の向上を図れるポータブルコンピュータ１をさらに簡易に得ることができる。
【００２３】
凸部２５ａの長手方向を、筐体４内に設けられたファン２８に向けることで、この吸気スペースを通る空気の流れをさらに良くし、ＣＤドライブ２１の冷却性能の向上をさらに図ることができる。  
ＣＤドライブ２１は、その下面側より、その上面側の方が高温になりやすい。したがって、ＣＤドライブ２１の上面側に吸気スペースを形成することで、冷却性能の向上により寄与することができる。
【００２４】
ＣＤドライブ２１のドライブケース２２、支持部２５、およびキーボード１１のシールド板１７が金属製であるので、ＣＤドライブ２１の熱はシールド板１７に伝導されやすく、シールド板１７全体が放熱板として機能する。したがってさらに冷却性能の向上に寄与することができる。
【００２５】
なお、本実施形態では、支持部２５は、ＣＤドライブ２１と一体に成形されているが、図６に示すように、支持部２５は、ＣＤドライブ２１に対して別体に成形しても良い。この場合、既存のＣＤドライブを用いても冷却性能の向上を図れるポータブルコンピュータ１を得ることができる。さらに、支持部２５は、リブ形の凸部２５ａに代えて、図７に示すようなピン形状の凸部２５ｂを有していても良い。
【００２６】
次に、本発明の第２の実施形態に係る電子機器としてのポータブルコンピュータ１ａを、図８を参照して説明する。なお第１の実施形態に係るポータブルコンピュータ１と同じ機能を有する構成は、同一の符号を付してその説明を省略する。  
ポータブルコンピュータ１ａは、本体２と表示ユニット３とを備えている。本体２は、筐体４を備えている。筐体４の上壁４ａは、キーボード１１が取付けられるキーボード取付部４１を有する。
【００２７】
図８に示すように、キーボード取付部４１は、上壁４ａの一部としてのキーボード支持部材４１ａをほぼ全面に有している。キーボード１１は、キーボード支持部材４１ａに載置されることで、上壁４ａに支持される。ＣＤドライブ２１は、上壁４ａの下面、すなわちキーボード支持部材４１ａとの間に、通気スペースとなる間隙ｇをあけて取付けられている。
【００２８】
図８に示すように、凸部２５ａは、ＣＤドライブ２１の上面と上壁４ａの下面との間の間隙ｇとほぼ同じ高さを有し、その上端が上壁４ａの下面に接している。
【００２９】
次に、ポータブルコンピュータ１ａの作用について説明する。  
ＣＤドライブ２１と上壁４ａの下面との間には、通気スペースとなる間隙ｇが形成され、第１の実施形態と同様に、ＣＤドライブ２１が冷却される。さらに、ＣＤドライブ２１の上面に位置する支持部２５が、上壁４ａを介してキーボード１１を下方から支持し、キーボード１１のたわみが防止される。
【００３０】
このような構成のポータブルコンピュータ１ａによれば、ＣＤドライブ２１と上壁４ａの下面との間に吸気スペースが形成されることになる。この吸気スペースに空気が流れることで、ＣＤドライブ２１の冷却性能の向上を図ることができる。本実施形態でも、第１の実施形態と同様に、キーボード１１のたわみを防止しつつ、筐体４内に吸気スペースを確保し、ＣＤドライブ２１の冷却性能の向上を図ることができる。したがって、ＣＤドライブ２１を効率よく冷却できるポータブルコンピュータ１ａを簡易に得ることができる。
【００３１】
次に、本発明の第３の実施形態に係る電子機器としてのポータブルコンピュータ１ｂを、図９および図１０を参照して説明する。なお第１の実施形態に係るポータブルコンピュータ１と同じ機能を有する構成は、同一の符号を付してその説明を省略する。
【００３２】
ポータブルコンピュータ１ｂは、本体２と表示ユニット３とを備えている。本体２は、筐体４を備えている。筐体４の上壁４ａは、キーボード１１が取付けられるキーボード取付部１２を有する。
【００３３】
筐体４内の右側部位には、ＣＤドライブ２１が収納されている。図９に示すように、ＣＤドライブ２１の上面には、支持部５１が設けられている。支持部５１は、例えば５本のリブ状の凸部５１ａを有している。凸部５１ａは、ディスクトレイ２３の進退方向と直交する方向、すなわち、筐体４の奥行き方向に沿って直線状に延びているとともに、互いに間隙を存して平行に配置されている。筐体４の後壁４ｄには、第１の実施形態と同様の複数の吸気孔２６が開口している。
【００３４】
図１０に示すように、ポータブルコンピュータ１ｂの筐体４は、ファン２８を収容している。ファン２８は、筐体４の前壁４ｃに沿って設けられている。したがって、支持部５１の凸部５１ａの長手方向は、ファン２８を向くことになる。
【００３５】
次に、ポータブルコンピュータ１ｂの作用について説明する。  
ＣＤドライブ２１とキーボード１１の下面との間には、通気スペースとなる間隙ｇが形成され、第１の実施形態と同様に、ＣＤドライブ２１が冷却される。さらに、ＣＤドライブ２１の上面に位置する支持部５１が、キーボード１１を下方から支持し、キーボード１１のたわみが防止される。
【００３６】
このような構成のポータブルコンピュータ１ｂによれば、ＣＤドライブ２１とキーボード１１の下面との間に吸気スペースが形成されることになる。この吸気スペースに空気が流れることで、ＣＤドライブ２１の冷却性能の向上を図ることができる。本実施形態でも、第１の実施形態と同様に、キーボード１１のたわみを防止しつつ、筐体４内に吸気スペースを確保し、ＣＤドライブ２１の冷却性能の向上を図ることができる。したがって、ＣＤドライブ２１を効率よく冷却できるポータブルコンピュータ１ｂを簡易に得ることができる。
【００３７】
凸部５１ａの長手方向を、筐体４内に設けられたファン２８に向けることで、この吸気スペースを通る空気の流れをさらに良くし、ＣＤドライブ２１の冷却性能の向上をさらに図ることができる。
【００３８】
次に、本発明の第４の実施形態に係る電子機器としてのポータブルコンピュータ１ｃを、図１１を参照して説明する。なお第１および第２の実施形態に係るポータブルコンピュータ１，１ａと同じ機能を有する構成は、同一の符号を付してその説明を省略する。  
ポータブルコンピュータ１ｃは、本体２と表示ユニット３とを備えている。本体２は、筐体４を備えている。筐体４の上壁４ａは、キーボード１１が取付けられるキーボード取付部４１を有する。
【００３９】
図１１に示すように、キーボード取付部４１は、上壁４ａの一部としてのキーボード支持部材４１ａをほぼ全面に有している。キーボード１１は、キーボード支持部材４１ａの上に載置されることで、上壁４ａに支持される。ＣＤドライブ２１は、上壁４ａの下面、すなわちキーボード支持部材４１ａとの間に、通気スペースとなる間隙ｇをあけて取付けられている。
【００４０】
図１１に示すように、上壁４ａの下面には、支持部６１が設けられている。支持部６１は、例えば５本のリブ状の凸部６１ａを有している。凸部６１ａは、筐体４の幅方向に直線状に延びているとともに、互いに間隙を存して平行に配置されている。凸部６１ａは、上壁４ａに一体に成形されている。凸部６１ａは、ＣＤドライブ２１の上面と上壁４ａの下面との間の間隙ｇとほぼ同じ高さを有し、その下端がＣＤドライブ２１の上面に接している。
【００４１】
次に、ポータブルコンピュータ１ｃの作用について説明する。  
ＣＤドライブ２１と上壁４ａの下面との間には、通気スペースとなる間隙ｇが形成され、第１の実施形態と同様に、ＣＤドライブ２１が冷却される。さらに、上壁４ａの下面に位置する支持部６１が、上壁４ａを介してキーボード１１を下方から支持し、キーボード１１のたわみが防止される。
【００４２】
このような構成のポータブルコンピュータ１ｃによれば、ＣＤドライブ２１と、上壁４ａの下面との間に吸気スペースが形成されることになる。この吸気スペースに空気が流れることで、ＣＤドライブ２１の冷却性能の向上を図ることができる。本実施形態でも、第１の実施形態と同様に、キーボード１１のたわみを防止しつつ、筐体４内に吸気スペースを確保し、ＣＤドライブ２１の冷却性能の向上を図ることができる。したがって、ＣＤドライブ２１を効率よく冷却できるポータブルコンピュータ１ｃを簡易に得ることができる。
【００４３】
次に、本発明の第５の実施形態に係る電子機器としてのポータブルコンピュータ１ｄを、図１２を参照して説明する。なお第１の実施形態に係るポータブルコンピュータ１と同じ機能を有する構成は、同一の符号を付してその説明を省略する。
【００４４】
ポータブルコンピュータ１ｄは、本体２と表示ユニット３とを備えている。本体２は、筐体４を備えている。筐体４の上壁４ａは、キーボード１１が取付けられるキーボード取付部１２を有する。  
筐体４内の右側部位には、ＣＤドライブ２１が収納されている。ＣＤドライブ２１は、ドライブケース２２、ディスクトレイ２３、および蓋２３ａを有する。ＣＤドライブ２１は、キーボード１１の下面に沿って配置されており、ドライブケース２２の蓋２３ａが筐体４の右側壁４ｅから筐体４の外に露出している。
【００４５】
図１２に示すように、ＣＤドライブ２１の下面には、支持部７１が設けられている。支持部７１は、例えば５本のリブ状の凸部７１ａを有している。凸部７１ａは、ディスクトレイ２３の進退方向、すなわち、筐体４の幅方向に沿って直線状に延びているとともに、互いに間隙を存して平行に配置されている。凸部７１ａは、例えば板金のプレス加工により、ＣＤドライブ２１のドライブケース２２に一体に成形されている。
【００４６】
図１２に示すように、ＣＤドライブ２１は、筐体４の底壁４ｂとの間に、通気スペースとなる間隙ｇをあけて取付けられている。支持部７１の凸部７１ａは、ＣＤドライブ２１の下面と筐体４の底壁４ｂとの間の間隙ｇとほぼ同じ高さを有し、その下端が筐体４の底壁４ｂに接している。
【００４７】
次に、ポータブルコンピュータ１ｄの作用について説明する。  
ＣＤドライブ２１と筐体４の底壁４ｂとの間には、通気スペースとなる間隙ｇが形成され、第１の実施形態と同様に、ＣＤドライブ２１が冷却される。ＣＤドライブ２１の下面に位置する支持部７１が、ＣＤドライブ２１を介してキーボード１１を下方から支持し、キーボード１１のたわみが防止される。
【００４８】
このような構成のポータブルコンピュータ１ｄによれば、ＣＤドライブ２１と、筐体４の底壁４ｂとの間に吸気スペースが形成されることになる。この吸気スペースに空気が流れることで、ＣＤドライブ２１の冷却性能の向上を図ることができる。本実施形態でも、第１の実施形態と同様に、キーボード１１のたわみを防止しつつ、筐体４内に吸気スペースを確保し、ＣＤドライブ２１の冷却性能の向上を図ることができる。したがって、ＣＤドライブ２１を効率よく冷却できるポータブルコンピュータ１ｄを簡易に得ることができる。
【００４９】
なお、第２の実施形態のようにキーボード１１の下面の大部分がキーボード支持部材４１ａにより支持されるポータブルコンピュータに、支持部７１が設けられたＣＤドライブ２１を組み込んでも良い。
【００５０】
以上、第１ないし第５の実施形態のポータブルコンピュータ１，１ａ，１ｂ，１ｃ，１ｄについて説明したが、本発明はもちろんこれらに限られるものではない。第２ないし第５の実施形態に係る支持部２５，５１，６１，７１を、図６で示すように、ＣＤドライブ２１または筐体４と別体に設けても良いし、図７で示すようなピン形状の凸部２５ｂを設けても良い。支持部２５は、ＣＤドライブ２１と筐体４との間に間隙を設けた場合に、その間隙を保ち、キーボード１１のたわみを支持できる構造であれば、その形状は問わない。
【００５１】
ＣＤドライブ２１の上下両方に支持部２５を設け、ＣＤドライブ２１の上下両方に間隙を設けるようにしても良い。  
本発明は、ＣＤドライブ２１を有するポータブルコンピュータ１，１ａ，１ｂ，１ｃ，１ｄに限られず、例えばＤＶＤ−Ｒ／ＲＷのような光ディスクドライブを有するポータブルコンピュータにも同様に適用可能であり、ハードディスクドライブを有するポータブルコンピュータにも適用可能である。
【図面の簡単な説明】
【００５２】
【図１】本発明の第１の実施形態に係るポータブルコンピュータの斜視図。
【図２】図１中に示された支持部を有するＣＤドライブの斜視図。
【図３】本発明の第１の実施形態に係るポータブルコンピュータの断面図。
【図４】本発明の第１の実施形態に係るポータブルコンピュータの右側面図。
【図５】図１中に示されたＣＤドライブとファンとの位置関係を示す断面図。
【図６】図１中に示された支持部の変形例の斜視図。
【図７】図１中に示された支持部の別の変形例の斜視図。
【図８】本発明の第２の実施形態に係るポータブルコンピュータの断面図。
【図９】本発明の第３の実施形態に係る支持部を有するＣＤドライブの斜視図。
【図１０】本発明の第３の実施形態に係るＣＤドライブとファンとの位置関係を示す断面図。
【図１１】本発明の第４の実施形態に係るポータブルコンピュータの断面図。
【図１２】本発明の第５の実施形態に係るポータブルコンピュータの断面図。
【符号の説明】
【００５３】
ｇ…間隙、１…ポータブルコンピュータ、２…本体、３…表示ユニット、４…筐体、４ａ…上壁、４ｂ…底壁、４ｃ…前壁、４ｄ…後壁、４ｅ…右側壁、４ｆ…左側壁、１１…キーボード、１２…キーボード取付部、１５…キーボード基板、１６…キー、１７…シールド板、２１…ＣＤドライブ、２２…ドライブケース、２５…支持部、２５ａ…凸部、２６…吸気孔、２８…ファン、４１…キーボード取付部、５１…支持部、６１…支持部、７１…支持部。
【図１】
2007004895.tif 000003
【図２】
2007004895.tif 000004
【図３】
2007004895.tif 000005
【図４】
2007004895.tif 000006
【図５】
2007004895.tif 000007
【図６】
2007004895.tif 000008
【図７】
2007004895.tif 000009
【図８】
2007004895.tif 000010
【図９】
2007004895.tif 000011
【図１０】
2007004895.tif 000012
【図１１】
2007004895.tif 000013
【図１２】
2007004895.tif 000014